(57)【特許請求の範囲】
【請求項１】
傾斜させて用いる第１梯子が２台と、水平にして使用する第２梯子が１台と、２段台座が２台とからなり、該２段台座は、１段目上板と、これより高さが高い２段目上板とが設けられると共に、前記２段台座の下側には傾斜した前記第１梯子の横桟のピッチ間隔に合わせ且つ挿入できる溝部が形成され、その上側には平坦性を有する前記２段目上板と前記第２梯子の左右側の支柱が係止できる係止部が設けられ、前記２段台座が前記第１梯子にそれぞれ載置係止されると共に、両前記２段台座間に前記第２梯子が水平状に設置され、前記両２段台座の２段目上板間に前記第２梯子が水平状に設置されてなることを特徴とする傾斜屋根上における足場装置。
【請求項２】
請求項１において、前記第1梯子と前記台座と前記第２梯子がフックボルトを介して固着されてなることを特徴とする傾斜屋根上における足場装置。
【請求項３】
請求項２において、前記フックボルトの先端屈曲部が前記第１梯子の支柱に係止されつつ、前記第２梯子の支柱に係止された駒状金具に前記フックボルトが取付けられてなることを特徴とする傾斜屋根上における足場装置。
【発明の詳細な説明】
【技術分野】
【０００１】
本発明は、金属製の傾斜屋根上において、種々の建築用部材又は太陽光発電パネルなど部材を、安全且つ能率的に取り付け施工することができる傾斜屋根上における足場装置に関する。
【背景技術】
【０００２】
従来より、金属製の傾斜屋根上において、種々の建築用部材又は太陽光発電パネルなど部材を取り付ける工事では、単に、梯子をその傾斜に沿わせて設置していた。これでは、軽い部材ならば、安全に施工できるが、比較的大きな面積の部材や、重さが重い部材の場合には、単なる傾斜した梯子のみでは危険が伴う重大な欠点があった。
【０００３】
また、特許文献1(特開平８−２１８５８２号)では、屋根用足場が開示されているが、凹状面となった屋根面上に、該屋根面に沿った直列状の梯子１１，１２，１３が２列設けられ、その所望位置に足場板支持装置２が設けられて、左右側の両足場板支持装置２，２間上に足場板７が仮設された構成である。特許文献１では、構成部材が多く、複雑で操作が面倒であるなどの欠点があった。また、特許文献２（特開平１０−１３１４４４号)では、梯子状の可僥性を有する連結材２３と、ステップ部材２２(踏み台)と踏み板５１とからなる梯子装置であるが、かなり複雑で、施工なども時間が掛るなどの問題があった。
【先行技術文献】
【特許文献】
【０００４】
【特許文献１】特開平８−２１８５８２号公報
【特許文献２】特開平１０−１３１４４４号公報
【発明の概要】
【発明が解決しようとする課題】
【０００５】
ところで、本発明が解決しようとする課題(技術的課題又は目的等)は、金属製の傾斜屋根上において、種々の建築用部材又は太陽光発電パネルなど部材を、安全且つ能率的に取り付け施工することができる梯子装置の提供を実現することである。
【課題を解決するための手段】
【０００６】
そこで、発明者は上記課題を解決すべく鋭意,研究を重ねた結果、請求項１の発明を、傾斜させて用いる第１梯子が２台と、水平にして使用する第２梯子が１台と、２段台座が２台とからなり、該２段台座は、１段目上板と、これより高さが高い２段目上板とが設けられると共に、前記２段台座の下側には傾斜した前記第１梯子の横桟のピッチ間隔に合わせ且つ挿入できる溝部が形成され、その上側には平坦性を有する前記２段目上板と前記第２梯子の左右側の支柱が係止できる係止部が設けられ、前記２段台座が前記第１梯子にそれぞれ載置係止されると共に、両前記２段台座間に前記第２梯子が水平状に設置され、前記両２段台座の２段目上板間に前記第２梯子が水平状に設置されてなることを特徴とする傾斜屋根上における足場装置としたことにより前記課題を解決した。
【０００９】
請求項２の発明を、請求項１において、前記第1梯子と前記台座と前記第２梯子がフックボルトを介して固着されてなることを特徴とする傾斜屋根上における足場装置としたことにより、前記課題を解決した。請求項３の発明を、請求項２において、前記フックボルトの先端屈曲部が前記第１梯子の支柱に係止されつつ、前記第２梯子の支柱に係止された駒状金具に前記フックボルトが取付けられてなることを特徴とする傾斜屋根上における足場装置としたことにより、前記課題を解決したものである。
【発明の効果】
【００１０】
請求項1の発明においては、特に、金属製の傾斜屋根上の足場として、種々の建築用部
材又は太陽光発電パネルなど部材を、安全且つ能率的に取り付け施工することができる利点がある。また、簡単な構成で、安価に提供できる。
【００１１】
また、請求項１の発明では、第２梯子の高さを高くすることができ、屋根面よりも、かなり高さが高くなる位置での作業の場合に安全且つ能率的作業ができる利点がある。請求項２の発明では、特に、強固に第２梯子を取り付けることがで、さらなる安全性を提供できる。請求項３の発明では、請求項２の発明と同等の効果を奏する。
【図面の簡単な説明】
【００１２】
【図１】（Ａ）は本発明を傾斜屋根に設置した斜視図である。
【図２】（Ａ）は傾斜屋根に設置した本発明の側面図、（Ｂ）は（Ａ）の平面図。
【図３】（Ａ）は本発明の一部切除した要部斜視図、（Ｂ）は本発明の一部切除した略全体の斜視図である。
【図４】（Ａ）は台座の斜視図、（Ｂ）は（Ａ）の断面図、（Ｃ）は組み立て途中の状態斜視図、（Ｄ）は（Ｃ）の一部断面とした側面図、(Ｅ)は組み立て完了した一部断面とした側面図である。
【図５】（Ａ）は第１梯子に掛け具を取り付けた斜視図、(Ｂ)は掛け具の斜視図、（Ｃ）は掛け具の一部断面とした正面図、（Ｄ）は一部切除した掛け具の側面図。
【図６】（Ａ）は本発明の連結箇所の要部断面図、（Ｂ）は（Ａ）のＲ−Ｒ矢視断面図、（Ｃ）は（Ａ）の平面図である。
【図７】（Ａ）は図６(Ａ)の一部断面とした要部拡大図、(Ｂ)は(Ａ)のＱ―Ｑ矢視断面図、（Ｃ）は金具及びフックボルトの斜視図である。
【図８】（Ａ）は２段台座の斜視図、（Ｂ）は２段台座を使っての本発明の連結箇所の要部斜視図である。
【図９】（Ａ）は２段台座を使っての組み立て途中の断面図、（Ｂ）は（Ａ）の組み立て完了した断面図である。
【発明を実施するための形態】
【００１３】
以下、本発明の実施形態について図面に基づいて説明すると、図１乃至図２は本発明の主要図であり、傾斜させて用いる第１梯子Ａが２台と、水平にして使用する第２梯子Ｂが１台と、台座５が２つとからなる。該台座５の下側には傾斜した前記第１梯子Ａの横桟２，２のピッチ間隔Ｐに合わせ且つ挿入できる溝部５１ａ，５１ｂが形成され、その上側には平坦性を有する上板５４と前記第２梯子Ｂの左右側の支柱３，３が係止できる係止部５４ａ，５４ａが設けられ、前記台座５が前記第１梯子Ａの２台にそれぞれ載置係止されると共に、前記両台座Ａ，Ａ間に前記第２梯子Ｂが水平状に設置されている。このようにして、金属製の傾斜屋根ａ上における足場装置が構成されている。
【００１４】
７は、図５に示すように、掛け具であって、横杆７１と縦杆７２とが対となり、その左右側の前記縦杆７２，７２相互が連結杆７３にて固着されている。左右の前記横杆７１，７１相互間には、前記第１梯子Ａの水上側の左右側の支柱に取付可能に構成されている,具体的には、前記第１梯子Ａの横桟２のパイプ状の内部を挿通されたネジ杆７４ａとナット部７４Ｂにて左右の前記横杆７１，７１相互間がそれぞれ外側位置で止着されている。
【００１５】
必要に応じてそのナット７４ａの緩み防止の割りピンを設けることもある。また、前記連結杆７３は、伸縮自在に構成されることもある。このようにすることで、前記第１梯子Ａの幅が変わっても良好に対応できる。さらに、前記縦杆７２も、下端に屈曲部が設けられつつ、伸縮自在に構成されている。
【００１６】
前記第１梯子Ａは、図３（Ａ）及び（Ｂ）に示すように、単なる梯子であり、左右側の支柱１，１と、その間に複数所定間隔のピッチにて横桟２，２，…が設けられている。該横桟２，２，…は、角パイプ状に形成されると共に、該横桟２の内部の空隙は、左右の前記支柱１，１の外側に開口している。さらに、複数の横桟２，２，…の表面には、足場状帯板１５が、前記第１梯子Ａの長さ分だけ設けられて固着されている。つまり、前記第１梯子Ａの表面には、梯子の幅の略全体に亘って足場状帯板１５が設けられており、その裏面には、前記横桟２，２，…が露出するように構成されている。
【００１７】
前記第２梯子Ｂも、図１，図３（Ａ）及び（Ｂ）に示すように、単なる梯子であり、左右側の支柱３，３と、その間に複数所定間隔のピッチにて横桟４，４，…が設けられている。該横桟４，４，…は、角パイプ状に形成されている。該横桟４の内部の空隙も、左右の前記支柱３，３の外側に開口している。さらに、複数の横桟２，２，…の表面には、足場状帯板３５が、前記第２梯子Ａの長さ分だけ設けられて固着され、前記第２梯子Ａの表面には、梯子の幅の略全体に亘って足場状帯板３５が、その裏面には、前記横桟４，４，…が露出するようにそれぞれ設けられている。前記第１梯子Ａと前記第２梯子Ｂは役割は異なり、異なる構成にすることもあるが、同一部材にて構成することもある。
【００１８】
前記台座５は、図４に示すように、下辺が傾斜した枠上に、平坦状の上板５４が設けられている。その枠は、台形でありつつ、上辺は略平坦状で略三角形状をなしている台形側板５１，５１と、高さが僅かな前板５２と、高さが高い後板５３とで構成されている。このような枠としての台形側板５１，５１の下辺には、前側寄りに前溝５１ａが、後側寄りに後溝５１ｂが断面略門形をなして形成されている。
【００１９】
前記前溝５１ａ，後溝５１ｂは、傾斜設置される前記第１梯子Ａの横桟２，２のピッチ間隔Ｐに合わせられ、前記横桟２，２にそれぞれ挿入固定される。この固定状態で前記台座５の上板５４が平坦状に設置される。また、前記台座５の上板５４の前後には、前記第２梯子Ｂの左右側の支柱３，３が係止できる係止部５４ａ，５４ａが設けられている。具体的には、前記上板５４の前後に切り欠き状の係止部５４ａ，５４ａが形成されている。
【００２０】
また、前記２段台座６は、図８に示すように、前記台座５と同等構成でありつつ、段部が２段として形成されたものである。具体的には、下辺が傾斜した枠上に、１段目上板６４と、これより高さが高い２段目上板６５とが設けられている。その枠は、上辺が段差があって断面Ｚ字状をなした変形側板６１，６１と、前板６２と、後板６３とで構成されている。このような枠としての変形側板６１，６１の下辺には、前側寄りに前溝６１ａ、中間に中間溝６１ｂ、後側寄りに後溝６１cが断面略門形をなして形成されている。
【００２１】
前記前溝６１ａ，中間溝６１ｂ、後溝６１ｃは、傾斜設置される前記第１梯子Ａの横桟２，２のピッチ間隔Ｐに合わせられ、前記横桟２，２，２の３か所にそれぞれ挿入固定される。この固定状態で前記台座６の１段目上板６４及び２段目上板６５が平坦状に設置される。さらに、該2段目上板６５の前後には、前記第２梯子Ｂの左右側の支柱３，３が係止できる係止部６５ａ，６５ａが設けられている。具体的には、前記上板６５の前後に、折曲係止部６５ａ，６５ａが形成されている。
【００２２】
８ａは、図７（Ｃ）に示すように、フックボルトであって、駒状金具８ｂとで使用される。具体的には、前記第１梯子Ａに対し前記台座５又は前記２段台座６を強固に取り付けるためである。前記フックボルト８ａは、単にＬ形状をなしているのみであり、前記異形金具８ｂは、断面口字状をなした短い長さの金具であると共に、下側に、前記第２梯子Ｂの支柱３が入る幅の切欠き８ｂ１が形成されている。
【００２３】
次に、組立について説明する。まず、適宜な金属製の傾斜屋根上に対して、第１梯子Ａを、２台用意して、適宜の間隔Ｓをおいて、これを傾斜状にセットする。このとき、掛け具７を前記第１梯子Ａの水上側に取り付けておき〔図５(Ａ)〕、前記掛け具７を傾斜屋根の水上側又は棟側に掛けるようにする。そして、前記第１梯子Ａの所定位置の横桟２，２に、台座５を上側溝５１ａ及び下側溝５１ｂを介して係止させて設置する。
【００２４】
そして、前記第２梯子Ｂを、左右側の第１梯子Ａ，Ａの台座５，５間に設置する。具体的には、前記第２梯子Ｂの支柱３，３の長手方向両側が、左右側の前記台座５，５の係止部５４ａ，５４ａに係止される。この状態でも、強固に取り付けられるが、作業を極めて安全にするため、フックボルト８ａと異形金具８ｂをと使って、前記第２梯子Ｂと台座５と第１梯子Ａとを固定する。
【００２５】
つまり、前記異形金具８ｂの切欠き８ｂ１が前記第２梯子Ｂの支柱３に係止されつつ、前記フックボルト８ａの中間は、前記台座５の前板５２内側を通つつ、前記フックボルト８ａの先端(下側)屈曲部が前記第１梯子Ａの支柱３に係止され、この状態で、前記フックボルト８ａの上端のネジ部が前記駒状金具８ｂに設けられた貫通孔を介してナット締めされて固定される。
【００２６】
このようにしても、台座５の場合には、該台座５の前側箇所の横桟２位置から第２梯子Ｂの足場状帯板３５での高さは、低い高さＨ１〔図４（Ｅ）参照〕であり、この場合は、傾斜屋根ａ面に近くでの作業に好適であるが、屋根面よりも高さが高くなる位置での作業の場合には、２段台座６に取り換える。
【００２７】
このようにすることで、該２段台座６の前側箇所の横桟２位置から第２梯子Ｂの足場状帯板３５での高さは、高い高さＨ２にできる〔図９（Ｂ）参照〕。このようにして、足場装置を傾斜屋根ａ上において、種々の建築用部材又は太陽光発電パネルなど部材を、安全且つ能率的に取り付け施工することができる。
【符号の説明】
【００２８】
Ａ…第１梯子、Ｂ…第２梯子、１，３…支柱、２，４…横桟、５…台座、
５１ａ，５１ｂ…溝部、５４ａ，５４ａ…係止部、６…２段台座、７…掛け具、
８ａ…フックボルト、８ｂ…駒状金具。
【図１】
0005952552.tif 000002
【図２】
0005952552.tif 000003
【図３】
0005952552.tif 000004
【図４】
0005952552.tif 000005
【図５】
0005952552.tif 000006
【図６】
0005952552.tif 000007
【図７】
0005952552.tif 000008
【図８】
0005952552.tif 000009
【図９】
0005952552.tif 000010